(57)【要約】【課題】  広い無線帯域を必要とせず、加入者宅に高品質の映像を提供でき、無線基地局および加入者宅に設置する装置に高い搬送波周波数安定度が必要とされないＣＡＴＶ映像音声配信システムを提供することを目的とする。【解決手段】  無線基地局１２０は、ＣＡＴＶ局１１０が送信した複数の放送信号の中から加入者宅装置１４０が指定する１つの放送信号を抽出して複数の番組信号に復調し、誤り訂正を行い、加入者宅装置１４０が指定する１つの番組信号を抽出し、加入者宅装置１４０に無線伝送する。加入者宅装置１４０は、放送信号と番組信号とを指定する情報を無線基地局１２０に送信し、また、無線基地局１２０から無線信号を受信して、指定した番組信号を抽出する。【選択図】          図１
2005072741.tif 000002
【特許請求の範囲】
【請求項１】
ＣＡＴＶ局に設置されたＣＡＴＶ局装置と、前記ＣＡＴＶ局装置に有線回線を介して接続された無線基地局と、前記無線基地局に無線回線を介して接続され加入者宅に設置された加入者宅装置と、を備え、
前記ＣＡＴＶ局装置は、
複数の番組信号を変調して１つの放送信号を生成する放送信号生成手段と、
前記放送信号生成手段で生成された複数の放送信号を前記無線基地局に送信する放送信号送信手段と、
を具備し、
前記無線基地局は、
前記ＣＡＴＶ局装置から、前記複数の放送信号を受信する放送信号受信手段と、
前記加入者宅装置から、特定の放送信号および特定の番組信号を指定する番組抽出情報を受信する番組抽出情報受信手段と、
前記放送信号受信手段で受信した複数の放送信号の中から１つの放送信号を抽出する放送信号抽出手段と、
前記放送信号抽出手段で抽出した１つの放送信号を複数の番組信号に復調し、誤り訂正を行う第１の復調手段と、
前記第１の復調手段から出力される複数の番組信号の中から１つの番組信号を抽出する第１の番組信号抽出手段と、
前記番組抽出情報受信手段で受信した番組抽出情報が指定する放送信号が抽出されるように前記放送信号抽出手段を制御し、前記番組抽出情報受信手段で受信した番組抽出情報が指定する番組信号が抽出されるように前記第１の番組信号抽出手段を制御する、番組抽出制御手段と、
前記第１の番組信号抽出手段で抽出した番組信号を無線信号に変調して前記加入者宅装置に送信する番組信号送信手段と、
を具備し、
前記加入者宅装置は、
前記番組抽出情報を生成する番組抽出情報生成手段と、
前記番組抽出情報生成手段で生成した番組抽出情報を前記無線基地局に送信する番組抽出情報送信手段と、
前記無線基地局から、前記無線信号を受信する無線信号受信手段と、
前記無線信号受信手段で受信した無線信号を番組信号に復調する第２の復調手段と、
を具備する、
ことを特徴とするＣＡＴＶ映像音声配信システム。
【請求項２】
請求項１に記載のＣＡＴＶ映像音声配信システムにおいて、
前記無線基地局は、前記放送信号抽出手段、前記第１の復調手段、前記第１の番組信号抽出手段、および前記番組抽出制御手段を加入者宅装置ごとに具備し、
前記無線基地局が具備する番組信号送信手段は、前記加入者宅装置ごとに備えられた第１の番組信号抽出手段がそれぞれ出力する番組信号を１つの無線信号に変調して前記加入者宅装置に送信し、
前記加入者宅装置は、前記第２の復調手段から出力された複数の番組信号の中から、前記番組抽出情報生成手段で生成した番組抽出情報が指定する番組信号を抽出する第２の番組信号抽出手段を具備する、
ことを特徴とするＣＡＴＶ映像音声配信システム。
【請求項３】
前記番組信号は、ＭＰＥＧ２−ＴＳ形式のデジタルデータであることを特徴とする請求項１または請求項２に記載のＣＡＴＶ映像音声配信システム。
【請求項４】
ＣＡＴＶ局に設置されたＣＡＴＶ局装置に有線回線を介して接続された無線基地局と、前記無線基地局に無線回線を介して接続され加入者宅に設置された加入者宅装置と、を備え、
前記無線基地局は、
前記ＣＡＴＶ局装置から、複数の番組信号を変調して生成された放送信号を受信する放送信号受信手段と、
前記加入者宅装置から、特定の放送信号および特定の番組信号を指定する番組抽出情報を受信する番組抽出情報受信手段と、
前記放送信号受信手段で受信した複数の放送信号の中から１つの放送信号を抽出する放送信号抽出手段と、
前記放送信号抽出手段で抽出した１つの放送信号を複数の番組信号に復調し、誤り訂正を行う第１の復調手段と、
前記第１の復調手段から出力される複数の番組信号の中から１つの番組信号を抽出する第１の番組信号抽出手段と、
前記番組抽出情報受信手段で受信した番組抽出情報が指定する放送信号が抽出されるように前記放送信号抽出手段を制御し、前記番組抽出情報受信手段で受信した番組抽出情報が指定する番組信号が抽出されるように前記第１の番組信号抽出手段を制御する、番組抽出制御手段と、
前記第１の番組信号抽出手段で抽出した番組信号を無線信号に変調して前記加入者宅装置に送信する番組信号送信手段と、
を具備し、
前記加入者宅装置は、
前記番組抽出情報を生成する番組抽出情報生成手段と、
前記番組抽出情報生成手段で生成した番組抽出情報を前記無線基地局に送信する番組抽出情報送信手段と、
前記無線基地局から、前記無線信号を受信する無線信号受信手段と、
前記無線信号受信手段で受信した無線信号を番組信号に復調する第２の復調手段と、
を具備する、
ことを特徴とするＣＡＴＶ用無線映像音声配信システム。
【請求項５】
請求項４に記載のＣＡＴＶ用無線映像音声配信システムにおいて、
前記無線基地局は、前記放送信号抽出手段、前記第１の復調手段、前記第１の番組信号抽出手段、および前記番組抽出制御手段を加入者宅装置ごとに具備し、
前記無線基地局が具備する番組信号送信手段は、前記加入者宅装置ごとに備えられた第１の番組信号抽出手段がそれぞれ出力する番組信号を１つの無線信号に変調して前記加入者宅装置に送信し、
前記加入者宅装置は、前記第２の復調手段から出力された複数の番組信号の中から、前記番組抽出情報生成手段で生成した番組抽出情報が指定する番組信号を抽出する第２の番組信号抽出手段を具備する、
ことを特徴とするＣＡＴＶ用無線映像音声配信システム。
【請求項６】
前記番組信号は、ＭＰＥＧ２−ＴＳ形式のデジタルデータであることを特徴とする請求項４または請求項５に記載のＣＡＴＶ用無線映像音声配信システム。
【請求項７】
ＣＡＴＶ局に設置されたＣＡＴＶ局装置に有線回線を介して接続され、加入者宅に設置された加入者宅装置に無線回線を介して接続されるＣＡＴＶ用無線基地局において、
前記ＣＡＴＶ局装置から、複数の番組信号を変調して生成された放送信号を受信する放送信号受信手段と、
前記加入者宅装置から、特定の放送信号および特定の番組信号を指定する番組抽出情報を受信する番組抽出情報受信手段と、
前記放送信号受信手段で受信した複数の放送信号の中から１つの放送信号を抽出する放送信号抽出手段と、
前記放送信号抽出手段で抽出した１つの放送信号を複数の番組信号に復調し、誤り訂正を行う第１の復調手段と、
前記第１の復調手段から出力される複数の番組信号の中から１つの番組信号を抽出する第１の番組信号抽出手段と、
前記番組抽出情報受信手段で受信した番組抽出情報が指定する放送信号が抽出されるように前記放送信号抽出手段を制御し、前記番組抽出情報受信手段で受信した番組抽出情報が指定する番組信号が抽出されるように前記第１の番組信号抽出手段を制御する、番組抽出制御手段と、
前記第１の番組信号抽出手段で抽出した番組信号を無線信号に変調して前記加入者宅装置に送信する番組信号送信手段と、
を具備する、
ことを特徴とするＣＡＴＶ用無線基地局。
【請求項８】
請求項７に記載のＣＡＴＶ用無線基地局において、
前記放送信号抽出手段、前記第１の復調手段、前記第１の番組信号抽出手段、および前記番組抽出制御手段を加入者宅装置ごとに具備し、
前記番組信号送信手段は、前記加入者宅装置ごとに備えられた第１の番組信号抽出手段がそれぞれ出力する番組信号を１つの無線信号に変調して前記加入者宅装置に送信する、
ことを特徴とするＣＡＴＶ用無線基地局。
【請求項９】
前記番組信号は、ＭＰＥＧ２−ＴＳ形式のデジタルデータであることを特徴とする請求項７または請求項８に記載のＣＡＴＶ用無線基地局。
【請求項１０】
加入者宅に設置されたＣＡＴＶ用加入者宅装置において、
特定の放送信号および特定の番組信号を指定する番組抽出情報を生成する番組抽出情報生成手段と、
前記番組抽出情報生成手段で生成した番組抽出情報を、ＣＡＴＶ局に設置されたＣＡＴＶ局装置に有線回線を介して接続された無線基地局に送信する番組抽出情報送信手段と、
前記無線基地局から、番組信号が変調された無線信号を受信する無線信号受信手段と、
前記無線信号受信手段で受信した無線信号を番組信号に復調する第２の復調手段と、
を具備する、
ことを特徴とするＣＡＴＶ用加入者宅装置。
【請求項１１】
請求項１０に記載のＣＡＴＶ用加入者宅装置において、前記第２の復調手段から出力された複数の番組信号の中から、前記番組抽出情報生成手段で生成した番組抽出情報が指定する番組信号を抽出する第２の番組信号抽出手段を具備することを特徴とするＣＡＴＶ用加入者宅装置。
【請求項１２】
前記番組信号は、ＭＰＥＧ２−ＴＳ形式のデジタルデータであることを特徴とする請求項１０または請求項１１に記載のＣＡＴＶ用加入者宅装置。
【発明の詳細な説明】
【技術分野】
【０００１】
本発明は、無線を利用してＣＡＴＶサービスを提供するＣＡＴＶ映像音声配信システムに関する。
【背景技術】
【０００２】
近年、ＣＡＴＶを用いた多チャネルデジタル放送サービスの提供拡大に伴い、ケーブルの敷設が困難なエリアにおいてもＣＡＴＶサービスを提供できるよう、無線を用いた映像再配信が検討されている（非特許文献１参照）。
また、かかる映像の再配信を狭い無線伝送帯域で実現できるように、ＣＡＴＶ局からの放送信号の中から一部の放送信号のみを加入者からの制御信号に従って選択抽出し無線伝送する方法が知られている（特許文献１参照）。この方法では、ＣＡＴＶ局からの放送信号の一部が加入者宅にそのまま無線伝送され、復調や誤り訂正は加入者宅で施される。
【非特許文献１】映像情報メディア学会技術報告ｖｏｌ．２５，  Ｎｏ．６７，  ｐ１−６
【特許文献１】特開平１１−４１５８１号公報
【発明の開示】
【発明が解決しようとする課題】
【０００３】
しかし、ＣＡＴＶでは放送番組が周波数９０−７７０ＭＨｚで放送される(図６)。したがって、ＣＡＴＶにおける放送番組を無線で再配信するためには、広い無線帯域を確保する必要がある。よって、ＣＡＴＶにおける放送番組を単に無線を用いてそのまま再配信するというだけでは、装置コストが上昇し、装置が大型化してしまう。
【０００４】
また、特許文献１に記載の方法では、放送信号が加入者宅に到達するまでは誤り訂正が行われない。したがって、特許文献１に記載の方法では、放送信号における誤りが加入者宅に到達した時点で多くなりすぎて、加入者宅においてはもはや誤りを訂正しきれなくなるおそれがある。
【０００５】
また、特許文献１に記載の方法では、放送信号であるＩＦ（Ｉｎｔｅｒｍｅｄｉａｔｅ  Ｆｒｅｑｕｅｎｃｙ：中間周波数）帯信号をＲＦ信号に周波数変換して加入者宅に無線伝送する。したがって、特許文献１に記載の方法では、無線基地局および加入者宅に設置される装置に高い搬送波周波数安定度が必要とされてしまう。
【０００６】
以上の事情により、従来は、上記非特許文献１や特許文献１に記載の方法によっても、ケーブルの敷設が困難なエリアにＣＡＴＶサービスを提供することが依然として困難であった。
【０００７】
そこで、本発明は、広い無線帯域を必要とせず、加入者宅に高品質の映像音声を提供でき、無線基地局および加入者宅に設置する装置に高い搬送波周波数安定度が必要とされない、ＣＡＴＶ映像音声配信システム、ＣＡＴＶ用無線映像音声配信システム、ＣＡＴＶ用無線基地局、およびＣＡＴＶ用加入者宅装置を提供することを目的とする。
【課題を解決するための手段】
【０００８】
本発明によれば、上記課題は、次の手段によって解決される。
【０００９】
第１の発明は、ＣＡＴＶ局に設置されたＣＡＴＶ局装置と、前記ＣＡＴＶ局装置に有線回線を介して接続された無線基地局と、前記無線基地局に無線回線を介して接続され加入者宅に設置された加入者宅装置と、を備え、前記ＣＡＴＶ局装置は、複数の番組信号を変調して１つの放送信号を生成する放送信号生成手段と、前記放送信号生成手段で生成された複数の放送信号を前記無線基地局に送信する放送信号送信手段と、を具備し、前記無線基地局は、前記ＣＡＴＶ局装置から、前記複数の放送信号を受信する放送信号受信手段と、前記加入者宅装置から、特定の放送信号および特定の番組信号を指定する番組抽出情報を受信する番組抽出情報受信手段と、前記放送信号受信手段で受信した複数の放送信号の中から１つの放送信号を抽出する放送信号抽出手段と、前記放送信号抽出手段で抽出した１つの放送信号を複数の番組信号に復調し、誤り訂正を行う第１の復調手段と、前記第１の復調手段から出力される複数の番組信号の中から１つの番組信号を抽出する第１の番組信号抽出手段と、前記番組抽出情報受信手段で受信した番組抽出情報が指定する放送信号が抽出されるように前記放送信号抽出手段を制御し、前記番組抽出情報受信手段で受信した番組抽出情報が指定する番組信号が抽出されるように前記第１の番組信号抽出手段を制御する、番組抽出制御手段と、前記第１の番組信号抽出手段で抽出した番組信号を無線信号に変調して前記加入者宅装置に送信する番組信号送信手段と、を具備し、前記加入者宅装置は、前記番組抽出情報を生成する番組抽出情報生成手段と、前記番組抽出情報生成手段で生成した番組抽出情報を前記無線基地局に送信する番組抽出情報送信手段と、前記無線基地局から、前記無線信号を受信する無線信号受信手段と、前記無線信号受信手段で受信した無線信号を番組信号に復調する第２の復調手段と、を具備する、ことを特徴とするＣＡＴＶ映像音声配信システムである。
【００１０】
第２の発明は、第１の発明に係るＣＡＴＶ映像音声配信システムにおいて、前記無線基地局は、前記放送信号抽出手段、前記第１の復調手段、前記第１の番組信号抽出手段、および前記番組抽出制御手段を加入者宅装置ごとに具備し、前記無線基地局が具備する番組信号送信手段は、前記加入者宅装置ごとに備えられた第１の番組信号抽出手段がそれぞれ出力する番組信号を１つの無線信号に変調して前記加入者宅装置に送信し、前記加入者宅装置は、前記第２の復調手段から出力された複数の番組信号の中から、前記番組抽出情報生成手段で生成した番組抽出情報が指定する番組信号を抽出する第２の番組信号抽出手段を具備する、ことを特徴とするＣＡＴＶ映像音声配信システムである。
【００１１】
第３の発明は、前記番組信号は、ＭＰＥＧ２−ＴＳ形式のデジタルデータであることを特徴とする第１の発明または第２の発明に係るＣＡＴＶ映像音声配信システムである。
【００１２】
第４の発明は、ＣＡＴＶ局に設置されたＣＡＴＶ局装置に有線回線を介して接続された無線基地局と、前記無線基地局に無線回線を介して接続され加入者宅に設置された加入者宅装置と、を備え、前記無線基地局は、前記ＣＡＴＶ局装置から、複数の番組信号を変調して生成された放送信号を受信する放送信号受信手段と、前記加入者宅装置から、特定の放送信号および特定の番組信号を指定する番組抽出情報を受信する番組抽出情報受信手段と、前記放送信号受信手段で受信した複数の放送信号の中から１つの放送信号を抽出する放送信号抽出手段と、前記放送信号抽出手段で抽出した１つの放送信号を複数の番組信号に復調し、誤り訂正を行う第１の復調手段と、前記第１の復調手段から出力される複数の番組信号の中から１つの番組信号を抽出する第１の番組信号抽出手段と、前記番組抽出情報受信手段で受信した番組抽出情報が指定する放送信号が抽出されるように前記放送信号抽出手段を制御し、前記番組抽出情報受信手段で受信した番組抽出情報が指定する番組信号が抽出されるように前記第１の番組信号抽出手段を制御する、番組抽出制御手段と、前記第１の番組信号抽出手段で抽出した番組信号を無線信号に変調して前記加入者宅装置に送信する番組信号送信手段と、を具備し、前記加入者宅装置は、前記番組抽出情報を生成する番組抽出情報生成手段と、前記番組抽出情報生成手段で生成した番組抽出情報を前記無線基地局に送信する番組抽出情報送信手段と、前記無線基地局から、前記無線信号を受信する無線信号受信手段と、前記無線信号受信手段で受信した無線信号を番組信号に復調する第２の復調手段と、を具備する、ことを特徴とするＣＡＴＶ用無線映像音声配信システムである。
【００１３】
第５の発明は、第４の発明に係るＣＡＴＶ用無線映像音声配信システムにおいて、前記無線基地局は、前記放送信号抽出手段、前記第１の復調手段、前記第１の番組信号抽出手段、および前記番組抽出制御手段を加入者宅装置ごとに具備し、前記無線基地局が具備する番組信号送信手段は、前記加入者宅装置ごとに備えられた第１の番組信号抽出手段がそれぞれ出力する番組信号を１つの無線信号に変調して前記加入者宅装置に送信し、前記加入者宅装置は、前記第２の復調手段から出力された複数の番組信号の中から、前記番組抽出情報生成手段で生成した番組抽出情報が指定する番組信号を抽出する第２の番組信号抽出手段を具備する、ことを特徴とするＣＡＴＶ用無線映像音声配信システムである。
【００１４】
第６の発明は、前記番組信号は、ＭＰＥＧ２−ＴＳ形式のデジタルデータであることを特徴とする第４の発明または第５の発明に係るＣＡＴＶ用無線映像音声配信システムである。
【００１５】
第７の発明は、ＣＡＴＶ局に設置されたＣＡＴＶ局装置に有線回線を介して接続され、加入者宅に設置された加入者宅装置に無線回線を介して接続されるＣＡＴＶ用無線基地局において、前記ＣＡＴＶ局装置から、複数の番組信号を変調して生成された放送信号を受信する放送信号受信手段と、前記加入者宅装置から、特定の放送信号および特定の番組信号を指定する番組抽出情報を受信する番組抽出情報受信手段と、前記放送信号受信手段で受信した複数の放送信号の中から１つの放送信号を抽出する放送信号抽出手段と、前記放送信号抽出手段で抽出した１つの放送信号を複数の番組信号に復調し、誤り訂正を行う第１の復調手段と、前記第１の復調手段から出力される複数の番組信号の中から１つの番組信号を抽出する第１の番組信号抽出手段と、前記番組抽出情報受信手段で受信した番組抽出情報が指定する放送信号が抽出されるように前記放送信号抽出手段を制御し、前記番組抽出情報受信手段で受信した番組抽出情報が指定する番組信号が抽出されるように前記第１の番組信号抽出手段を制御する、番組抽出制御手段と、前記第１の番組信号抽出手段で抽出した番組信号を無線信号に変調して前記加入者宅装置に送信する番組信号送信手段と、を具備する、ことを特徴とするＣＡＴＶ用無線基地局である。
【００１６】
第８の発明は、第７の発明に係るＣＡＴＶ用無線基地局において、前記放送信号抽出手段、前記第１の復調手段、前記第１の番組信号抽出手段、および前記番組抽出制御手段を加入者宅装置ごとに具備し、前記番組信号送信手段は、前記加入者宅装置ごとに備えられた第１の番組信号抽出手段がそれぞれ出力する番組信号を１つの無線信号に変調して前記加入者宅装置に送信する、ことを特徴とするＣＡＴＶ用無線基地局である。
【００１７】
第９の発明は、前記番組信号は、ＭＰＥＧ２−ＴＳ形式のデジタルデータであることを特徴とする第７の発明または第８の発明に係るＣＡＴＶ用無線基地局である。
【００１８】
第１０の発明は、加入者宅に設置されたＣＡＴＶ用加入者宅装置において、特定の放送信号および特定の番組信号を指定する番組抽出情報を生成する番組抽出情報生成手段と、前記番組抽出情報生成手段で生成した番組抽出情報を、ＣＡＴＶ局に設置されたＣＡＴＶ局装置に有線回線を介して接続された無線基地局に送信する番組抽出情報送信手段と、前記無線基地局から、番組信号が変調された無線信号を受信する無線信号受信手段と、前記無線信号受信手段で受信した無線信号を番組信号に復調する第２の復調手段と、を具備する、ことを特徴とするＣＡＴＶ用加入者宅装置である。
【００１９】
第１１の発明は、第１０の発明に係るＣＡＴＶ用加入者宅装置において、前記第２の復調手段から出力された複数の番組信号の中から、前記番組抽出情報生成手段で生成した番組抽出情報が指定する番組信号を抽出する第２の番組信号抽出手段を具備することを特徴とするＣＡＴＶ用加入者宅装置である。
【００２０】
第１２の発明は、前記番組信号は、ＭＰＥＧ２−ＴＳ形式のデジタルデータであることを特徴とする第１０の発明または第１１の発明に係るＣＡＴＶ用加入者宅装置である。
【発明の効果】
【００２１】
以上説明したように、本発明によれば、ＣＡＴＶの映像音声を狭い無線帯域で伝送することができる。また、本発明によれば、加入者宅に高品質の映像音声を提供できる。さらに、本発明によれば、無線基地局および加入者宅に、搬送波周波数安定度の高い装置を設置する必要がない。
したがって、本発明によれば、ケーブルの敷設が困難なエリアにおいてもＣＡＴＶサービスを容易に提供することができる。
【発明を実施するための最良の形態】
【００２２】
以下に、添付した図面を参照しつつ、本発明の最良の実施の形態を詳細に説明する。
【００２３】
図１は、本発明の実施の形態に係るＣＡＴＶ映像音声配信システムを示す図である。
図１に示すように、本発明の実施の形態に係るＣＡＴＶ映像音声配信システムにおいては、ＣＡＴＶ局１１０からの放送信号が、無線基地局１２０で中継され、集合住宅１３０の加入者宅装置１４０に提供される。
【００２４】
ＣＡＴＶ局１１０は、複数の放送信号を無線基地局１２０に向けて送信する。ここで、放送信号は、トランスモジュレーション複数ＴＳ方式でＩＦ信号に変調されたＭＰＥＧ２−ＴＳ形式のデジタルデータ（デジタル放送信号）である。１つの放送信号（ＩＦ信号）は１つのチャネルに対応し、１つのチャネルには複数のＭＰＥＧ２−ＴＳが多重されている。そして、１つのＭＰＥＧ２−ＴＳは１つの番組信号に対応する。
【００２５】
ＣＡＴＶ局１１０からの複数の放送信号（ＩＦ信号）は、同軸ケーブルまたは光ケーブル１５０を介して電柱１６０の柱上に設置された無線基地局１２０に受信される。
【００２６】
ある特定の番組を視聴しようとする加入者は、加入者宅に設置された加入者宅装置１４０を用いて、放送信号（ＩＦ信号）と番組信号（ＭＰＥＧ２−ＴＳ）とを指定する番組抽出情報を生成し、この生成した番組抽出情報を無線基地局１２０に送信する。
【００２７】
無線基地局１２０は、複数の放送信号（ＩＦ信号）の中から１つの放送信号（チャネル）を番組抽出情報に従って抽出し、この抽出した放送信号を複数のＭＰＥＧ２−ＴＳへ復調する。なお、１つの放送信号を復調することによって複数のＭＰＥＧ２−ＴＳが得られるのは、上記したように、１つの放送信号に複数のＭＰＥＧ２−ＴＳが多重されているからである。
【００２８】
無線基地局１２０は、複数の番組信号（ＭＰＥＧ２−ＴＳ）の中から１つの番組信号（ＭＰＥＧ２−ＴＳ）を番組抽出情報に従って抽出する。無線基地局１２０は、このＭＰＥＧ２−ＴＳの抽出を各加入者宅装置について行い、抽出したＭＰＥＧ２−ＴＳを多重化して各加入者宅装置１４０に無線伝送する。したがって、無線基地局１２０から加入者宅装置１４０に無線伝送される無線信号には、各加入者宅装置によって指定された番組信号（ＭＰＥＧ２−ＴＳ）のみが多重されている。
【００２９】
複数のＭＰＥＧ２−ＴＳが多重された無線信号を受信した加入者宅装置１４０は、受信した無線信号の中から要求した番組信号（ＭＰＥＧ２−ＴＳ）を抽出し、再生する。
【００３０】
図２は、無線基地局１２０の構成を説明する図である。
図２に示すように、無線基地局１２０は、加入者局ごとに設けられた複数の番組抽出部１２１と、直並列変換部１２２と、ＲＦ送受信部１２３と、アンテナ１２４と、を備えている。
【００３１】
番組抽出部１２１は、ＣＡＴＶ局１１０が送信した複数の放送信号（ＩＦ信号）の中から特定の番組信号（ＭＰＥＧ２−ＴＳ）を抽出し、出力する。この抽出は、加入者宅装置１４０から送信された番組抽出情報に従ってなされる。複数の加入者宅装置１４０から送信された複数の番組抽出情報は、ＲＦ送受信部１２３で復調された後、直並列変換部１２２で直列並列変換され、各番組抽出部１２１に送られる。
【００３２】
複数の番組抽出部１２１からそれぞれ出力された複数の番組信号（ＭＰＥＧ２−ＴＳ）は、直並列変換部１２２で並直列変換され、ＲＦ送受信部１２３でＲＦ信号に変調され、アンテナ１２４を介して加入者宅装置１４０に送信される。
【００３３】
以下、番組抽出部１２１について詳細に説明する。
番組抽出部１２１は、チューナ１２１−１と、ＴＳ復調部１２１−２と、ＴＳ抽出部１２１−３と、番組抽出制御部１２１−４と、切替部１２１−５と、を具備している。
【００３４】
ＣＡＴＶ局２０６からの複数の放送信号（ＩＦ信号）は、チューナ１２１−１に入力される。チューナ１２１−１は、番組抽出制御部１２１−４の制御に従い、入力された複数の放送信号（ＩＦ信号）の中から１つの放送信号（ＩＦ信号）を抽出する。ここで、番組抽出制御部１２１−４は、番組抽出情報で指定された放送信号（ＩＦ信号）が抽出されるようにチューナ１２１−１を制御する。
【００３５】
チューナ１２１−１で抽出された１つの放送信号（ＩＦ信号）は、ＴＳ復調部１２１−２に入力される。ＴＳ復調部１２１−２は、入力された１つの放送信号（ＩＦ信号）を６４ＱＡＭ復調方式などにより番組信号（ＭＰＥＧ２−ＴＳ）に復調する。１つの放送信号（ＩＦ信号）を復調すると複数の番組信号（ＭＰＥＧ２−ＴＳ）が得られるが、ＴＳ復調部１２１−２は、この得られた複数の番組信号（ＭＰＥＧ２−ＴＳ）のそれぞれについて、ＦＥＣ復号方式などによる誤り訂正を施す。
【００３６】
ＴＳ復調部１２１−２で誤り訂正が施された複数の番組信号（ＭＰＥＧ２−ＴＳ）は、ＴＳ抽出部１２１−３に入力される。
【００３７】
ＴＳ抽出部１２１−３は、番組抽出制御部１２１−４の制御に従い、入力された複数の番組信号（ＭＰＥＧ２−ＴＳ）の中から１つの番組信号（ＭＰＥＧ２−ＴＳ）を抽出する。ここで、番組抽出制御部１２１−４は、番組抽出情報で指定された番組信号（ＭＰＥＧ２−ＴＳ）が抽出されるようにＴＳ抽出部１２１−３を制御する。
【００３８】
ＴＳ抽出部１２１−３で抽出された１つの番組信号（ＭＰＥＧ２−ＴＳ）は、切替部１２１−５を介して直並列変換部１２２に入力される。
【００３９】
加入者宅装置１４０からの番組抽出情報は、切替部１２１−５を介して番組抽出制御部１２１−４に入力される。
【００４０】
番組抽出制御部１２１−４は、上記したように、複数の放送信号（ＩＦ信号）の中から番組抽出情報で指定された放送信号（ＩＦ信号）が抽出されるようにチューナ１２１−１を制御し、複数の番組信号（ＭＰＥＧ２−ＴＳ）の中から番組抽出情報で指定された番組信号（ＭＰＥＧ２−ＴＳ）が抽出されるようにＴＳ抽出部１２１−３を制御する。
【００４１】
図３は、集合住宅１３０の加入者宅に設置された加入者宅装置１４０の構成を示す図である。
図３に示すように、加入者宅装置１４０は、無線加入者局１４１と、この無線加入者局１４１に接続されたデジタル放送受信用セットトップボックス（ＳＴＢ）１４２と、ＳＴＢ１４２に接続されたテレビモニタ（ＴＶ）１４３と、を備えている。
【００４２】
加入者は、視聴したい番組を特定する情報を、リモコンなどによって、ＳＴＢ１４２に送信する。
【００４３】
ＳＴＢ１４２は、加入者が特定した番組について、番組抽出情報を生成する。この番組抽出情報には、加入者が特定した番組信号（ＭＰＥＧ２−ＴＳ）と当該番組が放送されているチャネル（放送信号、ＩＦ信号）とを識別する情報が含まれている。
【００４４】
ＳＴＢ１４２で生成された番組抽出情報は、無線加入者局１４１を介して、無線基地局１２０に送信される。
【００４５】
無線基地局１２０から送信された無線信号は、無線加入者局１４１で受信される。無線加入者局１４１は、受信した無線信号を復調した後、番組抽出情報に従って加入者が特定した番組信号（ＭＰＥＧ２−ＴＳ）を抽出する。無線加入者局１４１で抽出された番組信号（ＭＰＥＧ２−ＴＳ）は、ＳＴＢ１４２に入力される。
【００４６】
ＳＴＢ１４２は、無線加入者局１４１から入力された番組信号（ＭＰＥＧ２−ＴＳ）に一定の処理を施してＴＶ１４３に入力する。
【００４７】
ＴＶ１４３は、入力された信号を用いて、加入者が特定した番組をモニタに出力する。
【００４８】
図４は、無線加入者局１４１の構成を示す図である。
図４に示すように、無線加入者局１４１は、アンテナ１４１−１と、ＲＦ送受信部１４１−２と、ＴＳ抽出部１４１−３と、を備えている。
【００４９】
ＳＴＢ１４２からの番組抽出情報は、ＴＳ抽出部１４１−３を介して、ＲＦ送受信部１４１−２に入力される。ＲＦ送受信部１４１−２に入力された番組抽出情報は、ＲＦ信号に変調された後、アンテナ１４１−１を介して無線基地局１２０に送信される。
【００５０】
また、無線基地局１２０からの無線信号は、アンテナ１４１−１を介して、ＲＦ送受信部１４１−２に入力される。ＲＦ送受信部１４１−２に入力された無線信号は、複数の番組信号（ＭＰＥＧ２−ＴＳ）に復調され、ＴＳ抽出部１４１−３に入力される。ＴＳ抽出部１４１−３は、番組抽出情報に従って、入力された複数の番組信号（ＭＰＥＧ２−ＴＳ）の中から１つの番組信号（ＭＰＥＧ２−ＴＳ）を抽出する。
【００５１】
ＴＳ抽出部１４１−３で抽出された番組信号（ＭＰＥＧ２−ＴＳ）は、ＳＴＢ１４２に入力される。
【００５２】
図５は、ＳＴＢ１４２の構成を示す図である。
図５に示すように、ＳＴＢ１４２は、切替部１４２−１と、ＭＰＥＧ２  ＤＥＭＵＸ１４２−２と、映像復号部１４２−３と、映像出力部１４２−４と、音声復号部１４２−５と、音声出力部１４２−６と、番組抽出情報生成部１４２−７と、リモコン受信部１４２−８と、リモコン１４２−９と、を備えている。
【００５３】
加入者が、視聴をしたい番組を特定する情報をリモコン１４２−９入力すると、リモコン１４２−９は、この入力された番組に関する情報を、リモコン受信部１４２−８に送信する。リモコン受信部１４２−８に入力された番組に関する情報は、番組抽出情報生成部１４２−７に入力される。番組抽出情報生成部１４２−７は、入力された番組に関する情報に基づいて番組抽出情報を生成する。番組抽出情報生成部１４２−７で生成された番組抽出情報は、切替部１４２−１を介して、無線加入者局１４１に入力される。
【００５４】
また、無線加入者局１４１に入力された１つの番組信号（ＭＰＥＧ２−ＴＳ）は、切替部１４２−１を介して、ＭＰＥＧ２  ＤＥＭＵＸ１４２−２に入力される。ＭＰＥＧ２  ＤＥＭＵＸ１４２−２は、入力された１つの番組信号（ＭＰＥＧ２−ＴＳ）を映像信号に関する部分と音声信号に関する部分とに分離し、映像信号に関する部分を映像復号部１４２−３に入力し、音声信号に関する部分を音声復号部１４２−５に入力する。
【００５５】
映像復号部１４２−３に入力された映像信号に関する部分は、復号された後、映像出力部１４２−４に入力され、ＴＶ１４３に映像出力される。
【００５６】
音声復号部１４２−５に入力された音声信号に関する部分は、復号された後、音声出力部１４２−６に入力され、ＴＶ１４３に音声出力される。
【００５７】
以上説明したように、本発明の実施の形態によれば、ＣＡＴＶ局１１０が送信する放送信号のうち加入者が視聴を希望する番組のみが、無線基地局１２０から加入者宅装置１４０に無線伝送される。したがって、本発明の実施の形態によれば、ＣＡＴＶの番組を狭い無線帯域で加入者宅に提供できる。よって、本発明の実施の形態によれば、装置コストや装置の大型化を抑えることができる。
【００５８】
また、本発明の実施の形態によれば、無線基地局１２０において、誤り訂正が行われる。したがって、本発明の実施の形態によれば、誤り訂正が特許文献１に記載の方法と比較して雑音の少ない段階で行われるので、放送信号における誤りが加入者宅に到達する時点で多くなりすぎるという事態の発生を防止することができる。よって、本発明の実施の形態によれば、加入者宅に高品質の映像音声を提供できる。
【００５９】
また、本発明の実施の形態において、無線基地局から加入者宅装置に無線伝送される無線信号は、番組信号であるＭＰＥＧ２−ＴＳを変調して生成された信号であり、放送信号であるＩＦ信号を周波数変換して生成された信号ではない。したがって、本発明の実施の形態によれば、無線基地局および加入者宅に設置する装置に高い搬送波周波数安定度が必要とされることがない。
【００６０】
以上のことから、本発明の実施の形態によれば、ケーブルの敷設が困難なエリアにおいても、ＣＡＴＶサービスを容易に提供することができる。
【図面の簡単な説明】
【００６１】
【図１】本発明の実施の形態に係るＣＡＴＶ映像音声配信システムを示す図である。
【図２】無線基地局１２０の構成を説明する図である。
【図３】集合住宅１３０の加入者宅に設置された加入者宅装置１４０の構成を示す図である。
【図４】無線加入者局１４１の構成を示す図である。
【図５】ＳＴＢ１４２の構成を示す図である。
【図６】ＣＡＴＶ局から送信される放送信号の周波数配置を説明する図である。
【符号の説明】
【００６２】
１１０    ＣＡＴＶ局
１２０    無線基地局
１２１    番組抽出部
１２１−１    チューナ
１２１−２    ＴＳ復調部
１２１−３    ＴＳ抽出部
１２１−４    番組抽出制御部
１２１−５    切替部
１２２    直並列変換部
１２３    ＲＦ送受信部
１２４    アンテナ
１３０    集合住宅
１４０    加入者宅装置
１４１    無線加入者局
１４１−１    アンテナ
１４１−２    ＲＦ送受信部
１４１−３    ＴＳ抽出部
１４２    デジタル放送受信用セットトップボックス（ＳＴＢ）
１４２−１    切替部
１４２−２    ＭＰＥＧ２  ＤＥＭＵＸ
１４２−３    映像復号部
１４２−４    映像出力部
１４２−５    音声復号部
１４２−６    音声出力部
１４２−７    番組抽出情報生成部
１４２−８    リモコン受信部
１４２−９    リモコン
１４３    テレビモニタ（ＴＶ）
１５０    同軸ケーブルまたは光ケーブル
１６０    電柱
【図１】
2005072741.tif 000003
【図２】
2005072741.tif 000004
【図３】
2005072741.tif 000005
【図４】
2005072741.tif 000006
【図５】
2005072741.tif 000007
【図６】
2005072741.tif 000008